(57)【要約】【課題】  スピンドルモータをベースに取り付けた際の傾きやガタツキ等の発生を防ぐ。【解決手段】  光学ディスク２を保持するターンテーブル２２と、ターンテーブル２２を回転駆動するスピンドルモータ２３と、光学ディスク２に対して信号の書き込み及び／又は読み出しを行う光学ピックアップ２０と、光学ピックアップ２０を光学ディスク２の半径方向にスライド可能に支持するガイド軸４２ａ，４２ｂと、スピンドルモータ２３及びガイド軸４２ａ，４２ｂの両端部が取り付けられるベース１５とを備え、スピンドルモータ２３は、ベース１５に対するターンテーブル２２の高さ方向の位置決めを行うスペーサ部材２８を介してベース１５に取り付けられている。【選択図】  図７
2005050485.tif 000002
【特許請求の範囲】
【請求項１】
光学ディスクを保持するターンテーブルと、前記ターンテーブルを回転駆動するスピンドルモータとを有し、前記スピンドルモータが前記光学ディスクを前記ターンテーブルと一体に回転駆動する回転駆動機構と、
上記回転駆動機構により回転駆動される上記光学ディスクの信号記録面に光ビームを照射しながら、上記光学ディスクに対して信号の書き込み及び／又は読み出しを行う光学ピックアップと、
上記光学ピックアップを上記光学ディスクの半径方向にスライド可能に支持するガイド軸を有し、上記光学ピックアップを上記光学ディスクの内外周に亘って案内するガイド機構と、
上記ターンテーブルが臨む開口部及び上記光学ピックアップが臨む開口部を有し、これら開口部から上記ターンテーブル及び上記光学ピックアップが臨む側の主面とは反対側の主面に、上記スピンドルモータ及び上記ガイド軸の両端部が取り付けられるベースとを備え、
上記スピンドルモータは、上記ベースに対する上記ターンテーブルの高さ方向の位置決めを行うスペーサ部材を介して上記ベースに取り付けられていることを特徴するディスクドライブ装置。
【請求項２】
上記スペーサ部材は、樹脂成形材料からなることを特徴とする請求項１記載のディスクドライブ装置。
【請求項３】
上記スペーサ部材は、上記ガイド軸の内周側の端部を支持する軸受部を有することを特徴とする請求項１記載のディスクドライブ装置。
【請求項４】
上記スペーサ部材は、上記ベースと対向する主面に、上記ベースと当接される面の高さが同一となる少なくとも３つの基準突部を有することを特徴とする請求項１記載のディスクドライブ装置。
【請求項５】
上記スペーサ部材は、上記スピンドルモータを支持する支持板と対向する主面に、前記支持板と当接される面の高さが同一となる少なくとも３つの基準突部を有することを特徴とする請求項１記載のディスクドライブ装置。
【請求項６】
上記スペーサ部材は、上記ベースと対向する主面に、上記ベースと当接される面の高さが同一となる少なくとも３つの第１の基準突部と、上記スピンドルモータを支持する支持板と対向する主面に、前記第１の基準突部に対応した位置に各々配置され且つ上記支持板と当接される面の高さが同一となる少なくとも３つの第２の基準突部と、前記第１の基準突部及び前記第２の基準突部に対応した位置に各々穿設された少なくとも３つの貫通孔とを有し、
上記ベースと上記支持板とのうち、一方が上記スペーサ部材の貫通孔に対応した位置に各々穿設された少なくとも３つのネジ孔を有し、他方が上記スペーサ部材の貫通孔に対応した位置に各々穿設された少なくとも３つの孔部を有しており、
上記スピンドルモータは、上記支持板と上記ベースとが上記スペーサ部材を挟み込み、上記孔部、上記貫通孔及び上記ネジ孔を一致させた状態で、上記孔部及び上記貫通孔を通して上記ネジ孔にネジが螺合されることによって、上記スペーサ部材を介して上記ベースに取り付けられていることを特徴とする請求項１記載のディスクドライブ装置。
【請求項７】
上記ガイド機構は、上記光学ディスクの半径方向と平行に配置された一対のガイド軸を有しており、
上記一対のガイド軸の両端部をそれぞれ上記ベースの主面と直交する方向に移動可能に支持し、各ガイド軸の端部が支持される位置を調節することによって、上記一対のガイド軸にスライド可能に支持された上記光学ピックアップと上記ターンテーブルに保持された上記光学ディスクの信号記録面との間の距離、及び、上記光学ディスクの信号記録面に対する上記光学ピックアップの傾きを調整する調整機構を備えることを特徴とする請求項１記載のディスクドライブ装置。
【発明の詳細な説明】
【技術分野】
【０００１】
本発明は、光ディスクや光磁気ディスク等の光学ディスクに対して情報信号の記録及び／又は再生を行うディスクドライブ装置に関する。
【背景技術】
【０００２】
光学ディスクとしては、従来よりＣＤ(Compact Disk)やＤＶＤ(Digital Versatile Disk)といった光ディスク、ＭＤ(Mini Disk)等の光磁気ディスクが広く知られており、これら光学ディスクに対応した各種のディスクドライブ装置が登場している。
【０００３】
例えば図１３に示すように、光ディスクに対して情報信号の記録又は再生を行うディスクドライブ装置２００は、光ディスクを回転駆動するディスク回転駆動機構２０１と、このディスク回転駆動機構２０１により回転駆動される光ディスクに対して信号の書き込み又は読み出し動作を行う光学ピックアップ２０２と、この光学ピックアップ２０２を光ディスクの半径方向に送り動作させるピックアップ送り機構２０３とを備え、これらがベース２０４に取り付けられた構造を有している。
【０００４】
ディスク回転駆動機構２０１は、光ディスクを保持するターンテーブル２０５が設けられた扁平状のスピンドルモータ２０６を有しており、このスピンドルモータ２０６が光ディスクをターンテーブル２０５と一体に回転駆動する。
【０００５】
光学ピックアップ２０２は、半導体レーザから出射された光ビームを対物レンズ２０７で集光させて光ディスクの信号記録面に照射し、この光ディスクの信号記録面で反射された戻りの光ビームを光検出器で検出することによって、光ディスクに対して信号の書き込み又は読み出しを行う。
【０００６】
ピックアップ送り機構２０３は、光学ピックアップ２０２を光ディスクの半径方向に移動可能に支持する一対のガイド軸２０８ａ，２０８ｂと、光学ピックアップ２０２に取り付けられたラック部材２０９と、このラック部材２０９と噛合されるリードスクリュー２１０と、このリードスクリュー２１０を回転駆動するステッピングモータ２１１とを有しており、このステッピングモータ２１１がリードスクリュー２１０を回転駆動しながら、リードスクリュー２１０と噛合されたラック部材２０９を光学ピックアップ２０２と共に光ディスクの半径方向に変位駆動する。
【０００７】
ベース２０４には、ターンテーブル２０５が臨むテーブル用開口部２１２ａと光学ピックアップ２０２が臨むピックアップ用開口部２１２ｂとが連続して形成されており、これら開口部２１２ａ，２１２ｂからターンテーブル２０５及び光学ピックアップ２０２が臨む側の主面とは反対側の主面に、スピンドルモータ２０６や、一対のガイド軸２０８ａ，２０８ｂの両端部、リードスクリュー２１０、ステッピングモータ２１１等が取り付けられている。
【０００８】
以上のように構成されるディスクドライブ装置２００では、ディスク回転駆動機構２０１が光ディスクを回転駆動し、ピックアップ送り機構２０３が光学ピックアップ２０２を光ディスクの半径方向に送り動作しながら、光学ピックアップ２０２が光ディスクに対して信号の書き込み又は読み出し動作を行うことで、光ディスクの所望の記録トラックに対する情報信号の記録又は再生が行われる。
【０００９】
ところで、上述したディスクドライブ装置２００では、光ディスクの更なる高記録密度化に対応するため、光学ピックアップ２０２から光ディスクに照射される光ビームの波長を短くしたり、対物レンズ２０７の開口数を大きくしたりすることが行われている。しかしながら、光ディスクに照射される光ビームの波長を短くし、対物レンズ２０７の開口数を高くすると、光ディスクの信号記録面に対して光学ピックアップ２０２から照射される光ビームの光軸が傾くこと（以下、スキューという。）によって収差の発生が大きくなり、記録再生特性の大幅な悪化を招くことになる。すなわち、ディスクドライブ装置２００では、光ディスクの高記録密度化に対応するほど、上述したスキューに対する許容範囲が狭くなる。したがって、光ディスクに対する良好な記録再生特性を得るためには、光学ピックアップ２０２から出射された光ビームをターンテーブル２０５に保持された光ディスクの信号記録面に対して垂直に照射する必要がある。
【００１０】
このような光ディスクに対する光学ピックアップ２０２の傾きを調整する方法としては、スピンドルモータ２０６のベース２０４に対する取付角度を調整する方法と、光学ピックアップ２０２を支持する一対のガイド軸２０８ａ，２０８ｂの傾きを調整する方法とがある（例えば、特許文献１を参照。）。
【００１１】
ところで、上述したディスクドライブ装置２００は、超薄型のディスクドライブユニットとして、例えばノート型パーソナルコンピュータ等の携帯可能な電子機器に搭載された場合に、上述した光ディスクに対する光学ピックアップ２０２のスキュー調整において様々な制約を受けることになる。
【００１２】
例えば、超薄型化されたディスクドライブ装置２００では、ターンテーブル２０５に保持された光学ディスクの上下方向におけるクリアランスが非常に狭くなる。したがって、上述したスピンドルモータ２０６のベース２０４に対する取付角度を調整する方法では、ターンテーブル２０５に保持された光ディスクの外周側が大きく傾くことから、外部からの衝撃等によって光ディスクと光学ピックアップ２０２との衝突の危険性が光ディスクの外周側で非常に高くなる。特に、ハードディスクドライブ（ＨＤＤ）ユニットと同等の厚みである９．５ｍｍまで装置全体を薄型化した場合には、光ディスクと光学ピックアップ２０２との衝突の危険性が高まるだけでなく、スキュー調整を行える範囲も非常に狭くなってしまう。また、スピンドルモータ２０６と一対のガイド軸２０８ａ，２０８ｂとの両方のスキュー調整を行うタイプでは、調整箇所が多くなることから、調整作業や位置出しが面倒となり、精度が出し難いといった問題が発生してしまう。
【００１３】
したがって、小型軽量薄型化が要求されるタイプ、例えばディスクドライブ装置２００がディスクトレイに直接取り付けられるタイプでは、スピンドルモータ２０６をベース２０４に対して固定状態とし、ベース２０４と光ディスクが保持されるターンテーブル２０５との平行度を維持した状態で、光学ピックアップ２０２から出射された光ビームが光学ディスクの信号記録面に対して垂直に照射されるように、一対のガイド軸２０８ａ，２０８ｂの端部が支持される位置を調節し、光学ピックアップ２０２と光ディスクの信号記録面との間の距離、及び、光ディスクの信号記録面に対する光学ピックアップの傾きを調整することが望ましい。
【００１４】
以上のことから、スピンドルモータ２０６をベース２０４に取り付ける際には、光ディスクが保持されるターンテーブル２０５とベース２０４との平行度を高レベルで維持する必要がある。
【００１５】
ここで、上述したディスクドライブ装置２００では、図１４に示すように、スピンドルモータ２０６を支持する支持板２１３が、ベース２０４の背面側に設けられた３つの位置決め部材２１４ａ，２１４ｂ，２１４ｃを介して取り付けられている。
【００１６】
これら３つの位置決め部材２１４ａ，２１４ｂ，２１４ｃは、ベース２０４とターンテーブル２０５との平行度を維持するため、それぞれ支持板２１３と当接される当接面２１５ａ，２１５ｂ，２１５ｃの高さＤ’が同一寸法となるように設計されている。また、各当接面２１５ａ，２１５ｂ，２１５ｃの中央部には、支持板２１３を面内方向に位置決めするためのボス２１６が突出形成されており、各ボス２１６の中心部には、支持板２１３をネジ止めするためのネジ孔２１７が形成されている。一方、支持板２１３には、これら位置決め部材２１４ａ，２１４ｂ，２１４ｃに対応した３つのボス孔２１８が形成されている。したがって、スピンドルモータ２０６は、支持板２１３のボス孔２１８に各位置決め部材２１４ａ，２１４ｂ，２１４ｃのボス２１６が係合された状態で、当該ボス孔２１８から臨むボス２１６のネジ孔２１８にネジ２１９が螺合されることによって、支持板２１３が位置決め部材２１４ａ，２１４ｂ，２１４ｃを介してベース２０４に取り付けられた構造となっている。
【００１７】
ところで、このような支持板２１３に支持されたスピンドルモータ２０６を３つの位置決め部材２１４ａ，２１４ｂ，２１４ｃを介してベース２０４に取り付ける従来の取付構造では、図１５に示すように、各位置決め部材２１４ａ，２１４ｂ，２１４ｃの当接面２１５ａ，２１５ｂ，２１５ｃの高さＤ’が同一寸法となるよう設計したとしても、各位置決め部材間２１４ａ，２１４ｂ，２１４ｃの寸法公差±ｄ’の違いによって、最大で２ｄ’の寸法ずれが生じることになる。
【００１８】
したがって、このような従来のスピンドルモータ２０６の取付構造では、各位置決め部材２１４ａ，２１４ｂ，２１４ｃの寸法公差ｄ’の違いによるターンテーブル２０５のベース２０４に対する傾きやガタツキ等が生じてしまい、ベース２０４とターンテーブル２０５に保持された光ディスクとの平行度を維持すること非常に困難となるといった問題があった。また、このようなスピンドルモータ２０６をベース２０４に取り付けた際の傾きの発生を防ぐためには、各位置決め部材２１４ａ，２１４ｂ，２１４ｃの高さ方向の寸法精度を非常に良くしなければならず、部品点数も多くなることから、製造コストが嵩むといった問題も発生してしまう。
【００１９】
【特許文献１】特開２００２−１７１７０９号公報
【発明の開示】
【発明が解決しようとする課題】
【００２０】
そこで、本発明は、このような従来の事情に鑑みて提案されたものであり、スピンドルモータをベースに取り付けた際の傾きやガタツキ等の発生を防ぐと共に、製造コストの上昇を招くことなく、光学ディスクが保持されるターンテーブルとベースとの平行度を高レベルで維持することを可能としたディスクドライブ装置を提供することを目的とする。
【課題を解決するための手段】
【００２１】
この目的を達成するために、本発明に係るディスクドライブ装置は、光学ディスクを保持するターンテーブルと、ターンテーブルを回転駆動するスピンドルモータと有し、スピンドルモータが光学ディスクをターンテーブルと一体に回転駆動する回転駆動機構と、回転駆動機構により回転駆動される光学ディスクの信号記録面に光ビームを照射しながら、光学ディスクに対して信号の書き込み及び／又は読み出しを行う光学ピックアップと、光学ピックアップを光学ディスクの半径方向にスライド可能に支持するガイド軸を有し、光学ピックアップを光学ディスクの内外周に亘って案内するガイド機構と、ターンテーブルが臨む開口部及び光学ピックアップが臨む開口部を有し、これら開口部からターンテーブル及び光学ピックアップが臨む側の主面とは反対側の主面に、スピンドルモータ及びガイド軸の両端部が取り付けられるベースとを備え、スピンドルモータは、ベースに対するターンテーブルの高さ方向の位置決めを行うスペーサ部材を介してベースに取り付けられていることを特徴としている。
【００２２】
以上のように、本発明に係るディスクドライブ装置では、ベースに対するターンテーブルの高さ方向の位置決めを行うスペーサ部材を介してスピンドルモータがベースに取り付けられていることから、当該スペーサ部材の寸法公差によらず、スピンドルモータをベースに高精度に取り付けることができる。
【発明の効果】
【００２３】
以上のように、本発明に係るディスクドライブ装置では、スピンドルモータのベースに対する取付精度が向上することから、ターンテーブルとベースとの平行度を高レベルで維持することが可能である。したがって、このディスクドライブ装置では、光学ディスクの高記録密度化に対応すると共に、装置全体の更なる小型軽量薄型化に対応することが可能である。
【発明を実施するための最良の形態】
【００２４】
以下、本発明を適用したディスクドライブ装置について、図面を参照しながら詳細に説明する。
【００２５】
図１に示すように、本発明を適用したディスクドライブ装置１は、例えばノート型パーソナルコンピュータ１００の装置本体１０１に搭載される超薄型のディスクドライブユニットである。このディスクドライブ装置１は、図２及び図３に示すように、ハードディスクドライブ（ＨＤＤ）ユニットと同等の厚みである、例えば９．５ｍｍ程度にまで装置全体が薄型化された構造を有しており、ＣＤ(Compact Disk)やＤＶＤ(Digital Versatile Disk)といった光ディスク２に対して情報信号の記録又は再生を行うことが可能となっている。
【００２６】
具体的に、このディスクドライブ装置１は、図２，図３及び図４に示すように、ドライ本体の外筐となる筐体３と、この筐体３の前面に設けられたトレイ出入口３ａから水平方向に出し入れされるディスクトレイ４と、このディスクトレイ４に取り付けられたドライブ本体であるベースユニット５とを備えている。
【００２７】
筐体３は、全体が略扁平箱状に形成された板金からなるボトムシャーシ６に、その上面部を覆うように同じく板金からなるカバー体７がネジ止めによって取り付けられた構造を有している。筐体３は、その前面が上記トレイ出入口３ａとして開放されており、内部にディストレイ４を収納するための収納空間が形成されている。また、ボトムシャーシ６には、ドライブ本体における各部の駆動制御を行う駆動制御回路や、上記ノート型パーソナルコンピュータ１００の装置本体１０１との電気的な接続を図るコネクタ等が取り付けられた回路基板（図示せず。）等が配置されている。
【００２８】
ディスクトレイ４は、全体が略矩形扁平状に形成された樹脂成形材料からなり、その上面部には、光ディスク２に対応した形状の凹部８が設けられている。この凹部８の底面部には、ディスクトレイ４の下面に取り付けられたベースユニット５を上方へと臨ませる開口部９が形成されている。また、この開口部９から臨むベースユニット５には、図３に示すように、開口部９ａを覆う化粧板１０が取り付けられている。この化粧板１０には、後述するベースユニット５のスピンドルモータ２３及び光学ピックアップ２０を上方へと臨ませる開口部１８ａ，１８ｂに対応した開口部１０ａが形成されている。
【００２９】
このディスクトレイ４は、その両側面とボトムシャーシ６の内側面との間に介在されるガイドレール機構１１によって、図３に示すトレイ出入口３ａから筐体３の外部へと引き出される引出位置と、図２に示すトレイ出入口３ａから筐体３の内部へと引き込まれて収納される収納位置との間でスライド可能に支持されている。このディスクトレイ４の前面には、筐体３のトレイ出入口３ａを開閉する蓋体となる略矩形平板の前面パネル１２が取り付けられている。また、この前面パネル１２の前面には、光ディスク２に対するアクセス状態を点灯表示する表示部１３と、ディスクトレイ４をイジェクトする際に押圧されるイジェクト釦１４とが設けられている。
【００３０】
なお、このディスクトレイ４は、筐体３に収納された際に、図示しないロック機構によって前面側へのスライドが係止される。そして、この状態からイジェクト釦１４が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構による前面側へのスライドが係止されることになる。
【００３１】
ベースユニット５は、図４及び図５に示すように、ベースとなるサブシャーシ１５を備え、このサブシャーシ１５は、板金を所定の形状に打ち抜き、その周囲を僅かに下方に折り曲げて形成されている。さらに、この下方に折り曲げられたサブシャーシ１５の端縁部からは、３つのインシュレータ取付部１６が外側に向かって折り曲げ形成されている。各インシュレータ取付部１６には、振動等を吸収するためのゴム等の弾性部材からなるインシュレータ１７が取り付けられている。サブシャーシ１５は、これらインシュレータ１７を介してディスクトレイ４の下面に設けられた支軸に支持されている。サブシャーシ１５の主面には、後述するターンテーブル２２を上方へと臨ませる略半円状のテーブル用開口部１８ａと、後述する光学ピックアップ２０を上方へと臨ませる略矩形状のピックアップ用開口部１８ｂとが連続して形成されている。
【００３２】
このベースユニット５は、光ディスク２を回転駆動するディスク回転駆動機構１９と、このディスク回転駆動機構１９により回転駆動される光ディスク２に対して信号の書き込み又は読み出しを行う光学ピックアップ２０と、この光学ピックアップ２０を光ディスク２の半径方向に送り動作させるピックアップ送り機構２１とを備え、これらがサブシャーシ１５の下面に取り付けられた超薄型構造を有している。
【００３３】
ディスク回転駆動機構１９は、光ディスク２を保持するターンテーブル２２が上面に設けられた扁平状のスピンドルモータ２３を有し、このスピンドルモータ２３が支持板２４に支持された構造を有している。具体的に、このスピンドルモータ２３は、支持板２４に貼り合わされたプリント配線基板上に薄膜コイルがパターン形成されたステータと、このステータと対向するマグネットが内部に取り付けられ、上面にターンテーブル２２が設けられたロータとを有し、薄膜コイルに流れる電流によって発生する磁界とマグネットとの電磁気的な作用によりロータが回転駆動するようになされている。また、この支持板２４は、スピンドルモータ２３を回転駆動するための駆動制御回路が上記ボトムシャーシ６側の回路基板に搭載されることで、上述した図１４に示す支持板２１３よりも大幅な小型化が図られている。
【００３４】
ターンテーブル２２の中心部には、光ディスク２を保持するためのチャッキング機構２５が設けられている。このチャッキング機構２５は、光ディスク２の中心孔２ａに係合されるセンタリング部２６と、このセンタリング部２６に係合された光ディスク２の中心孔２ａの周囲を係止する複数の係止爪２７とを有し、ターンテーブル２２に装着された光ディスク２のセンタリングを行いながら、この光ディスク２をターンテーブル２２上に保持する。そして、このディスク回転駆動機構１９では、スピンドルモータ２３が光ディスク２をターンテーブル２２と一体に線速度一定又は角速度一定で回転駆動することになる。
【００３５】
このディスク回転駆動機構１９では、図６及び図７に示すように、ターンテーブル２２がサブシャーシ１５のテーブル用開口部１８ａからサブシャーシ１５の上面よりも僅かに突出するように、スピンドルモータ２３を支持する支持板２４がスペーサ部材２８を介してサブシャーシ１４の下面にネジ止めにより取り付けられている。
【００３６】
具体的に、スペーサ部材２８には、図７，図８及び図９に示すように、このようなサブシャーシ１４に対するターンテーブル２２の高さ方向の位置決めを高精度に行うと共に、サブシャーシ１４とターンテーブル２２との平行度を高精度に維持するため、金型を用いて樹脂成形材料を射出成形することによって、所定の厚みＤで高精度に形成されたものを用いている。なお、この樹脂成形材料としては、熱収縮率が低く且つ剛性の高い液晶ポリマー等が好適である。
【００３７】
このスペーサ部材２８は、サブシャーシ１５と支持板２４との間でテーブル用開口部１８ａの周囲及びピックアップ用開口部１８ｂの内周側に沿った形状を有している。そして、スペーサ部材２８のサブシャーシ１５と対向する主面には、当該サブシャーシ１５と当接される面の高さが同一となる４つの第１の基準突部２９ａ，２９ｂ，２９ｃ，２９ｄが突出形成されている。一方、スペーサ部材２８の支持板２４と対向する主面には、各第１の基準突部２９ａ，２９ｂ，２９ｃ，２９ｄに対応した位置に各々配置され且つ当該支持板２４と当接される面の高さが同一となる４つの第２の基準突部３０ａ，３０ｂ，３０ｃ，３０ｄが突出形成されている。なお、隣接する第２の基準突部３０ｃ，３０ｄは、互いの当接面が連続するように形成されている。
【００３８】
ここで、スペーサ部材２８を金型を用いて射出成形する際は、サブシャーシ１５と対向する一主面側を一方の金型によって成形し、サブシャーシ１５と対向する他主面側をもう一方の金型によって成形する。これにより、スペーサ部材２８は、一主面側に同一高さで突出形成される４つの第１の基準突部２９ａ，２９ｂ，２９ｃ，２９ｄと、他主面側に同一高さで突出形成される４つの第２の基準突部３０ａ，３０ｂ，３０ｃ，３０ｄとの高さ方向の寸法精度を大幅に向上させることが可能である。
【００３９】
また、このスペーサ部材２８には、各第１の基準突部２９ａ，２９ｂ，２９ｃ，２９ｄ及び第２の基準突部３０ａ，３０ｂ，３０ｃ，３０ｄを厚み方向に貫通する４つの貫通孔３１ａ，３１ｂ，３１ｃ，３１ｄが穿設されている。また、各第１の基準突部２９ａ，２９ｂ，２９ｃ，２９ｄの当接面には、これら貫通孔３１ａ，３１ｂ，３１ｃ，３１ｄの周囲を囲むように当該当接面よりも一段低くなされた円筒状の段差部３２ａ，３２ｂ，３２ｃ，３２ｄが形成されている。
【００４０】
さらに、このスペーサ部材２８の両主面には、ネジ止めされる際の面内方向の位置決めや回転止めを行うための複数のボス３３が突出形成されている。これらボス３３は、スペーサ部材２８の両主面に少なくとも２箇所以上設けることが好ましい。ここでは、スペーサ部材２８の両主面にそれぞれ２箇所ずつ設けられている。
【００４１】
一方、サブシャーシ１５には、上記スペーサ部材２８の各貫通孔３１ａ，３１ｂ，３１ｃ，３１ｄに対応した４つのネジ孔３４ａ，３４ｂ，３４ｃ，３４ｄが穿設されている。これら４つのネジ孔３４ａ，３４ｂ，３４ｃ，３４ｄは、サブシャーシ１５の下面から突出された各筒状部３５ａ，３５ｂ，３５ｃ，３５ｄの内側に形成されている。また、支持板２４には、上記スペーサ部材２８の各貫通孔３１ａ，３１ｂ，３１ｃ，３１ｄに対応した４つの孔部３６ａ，３６ｂ，３６ｃ，３６ｄが穿設されている。また、サブシャーシ１５及び支持板２４には、上記スペーサ部材２８の各ボス３３に対応したボス孔３７が穿設されている。
【００４２】
そして、この支持板２４に支持されたスピンドルモータ２３をスペーサ部材２８を介してサブシャーシ１５の下面に取り付ける際は、図１０に示すように、先ず、支持板２４及びサブシャーシ１５の各ボス孔３７にスペーサ部材２８の各ボス３３を係合させると共に、スペーサ部材２８の各段差部３２にサブシャーシ１５の各筒状部３５を係合させることによって、支持板２４とサブシャーシ１５とがスペーサ部材２８を挟み込んだ状態とする。このとき、互いに重ね合わされた支持板２４の各孔部３６と、スペーサ部材２８の各貫通孔３１と、サブシャーシ１５の各ネジ孔３４とがそれぞれ一致した状態となる。次に、この状態から、支持板２４の各孔部３６及びスペーサ部材２８の各貫通孔３１を通してサブシャーシ１５の各ネジ孔３４に固定ネジ３８を螺合する。以上のようにして、スピンドルモータ２３は、ターンテーブル２２がサブシャーシ１５のテーブル用開口部１８ａから上方に向かって突出した状態で、スペーサ部材２８を介してサブシャーシ１５の下面に固定支持されている。
【００４３】
光学ピックアップ２０は、図５に示すように、光源となる半導体レーザから出射された光ビームを対物レンズ２０ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。また、この光学ピックアップ２０は、対物レンズ２０ａを当該対物レンズ２０ａの光軸と平行なフォーカッシング方向と当該対物レンズ２０ａの光軸方向と直交するトラッキング方向とに変位駆動する二軸アクチュエータを有し、上述した光検出器により検出された光ディスク２からの検出信号に基づいて、光ディスク２に対する対物レンズ２０ａのフォーカシング制御及びトラッキング制御を行うようになされている。
【００４４】
ピックアップ送り機構２１は、図５及び図６に示すように、光学ピックアップ２０を光ディスク２の半径方向にスライド可能に支持するガイド機構３９と、このガイド機構３９に支持された光学ピックアップ２０を光ディスク２の半径方向に変位駆動する変位駆動機構４０とを有している。
【００４５】
ガイド機構３９は、上記光学ピックアップ２０が搭載されたピックアップベース４１と、このピックアップベース４１を光ディスク２の半径方向にスライド可能に支持する一対のガイド軸４２ａ，４２ｂとを有している。
【００４６】
ピックアップベース４１には、一対のガイド軸４２ａ，４２ｂのうち、一方のガイド軸４２ａを挿通するガイド孔４３ａが形成された一対のガイド片４３と、他方のガイド軸４２ｂを挟み込むガイド溝４４ａが形成されたガイド片４４とが互いに逆向きに突出形成されている。したがって、このピックアップベース４１は、一対のガイド軸４２ａ，４２ｂに沿ってスライド可能となっている。
【００４７】
一対のガイド軸４２ａ，４２ｂは、サブシャーシ１５の下面に位置して、光ディスク２の半径方向と互いに平行となるように配置されており、サブシャーシ１５のピックアップ用開口部１８ｂから対物レンズ２０ａが臨むピックアップベース４１を光ディスク２の内外周に亘って案内する。また、これら一対のガイド軸４２ａ，４２ｂの両端部は、サブシャーシ１５の下面にスキュー調整機構４５を介して取り付けられている。
【００４８】
スキュー調整機構４５は、一対のガイド軸４２ａ，４２ｂの両端部をサブシャーシ１５の主面と直交する方向に移動可能に支持し、各ガイド軸４２ａ，４２ｂの端部が支持される位置をそれぞれ独立して調節可能としたものである。具体的に、このスキュー調整機構４５は、図７及び図１１に示すように、一対のガイド軸４２ａ，４２ｂの外周側の端部を支持する軸受部材４６を備えている。このうち、一対のガイド軸４２ａ，４２ｂの内周側の端部を支持する軸受部材４６は、上記スペーサ部材２８と一体に形成されている。すなわち、上述したスペーサ部材２８には、一対のガイド軸４２ａ，４２ｂの内側の端部を支持する一対の軸受部４６が設けられている。
【００４９】
なお、これら軸受部材４６及び軸受部４６は、略々同様の構成を有していることから、以下、上記スペーサ部材２８に設けられた軸受部４６を例に挙げて説明する。
【００５０】
この軸受部４６には、ガイド軸４２ａ，４２ｂの端部４２ｃを挿通するためのガイドスリット４７と、略円筒状の弦巻バネ４８を保持するための保持孔４９とが形成されている。ガイドスリット４７は、軸受部４６のガイド軸４２ａ，４２ｂと対向する端部を厚み方向に切り欠くように形成されている。一方、ガイド軸４２ａ，４２ｂの端部４２ｃは、このガイドスリット４７に挿通される部分が断面略矩形状に細く削られた形状となっている。保持孔４９は、ガイドスリット４７の中途部において軸受部４６を厚み方向に貫通する貫通孔として形成されている。一方、弦巻バネ４８は、この保持孔４９内でサブシャーシ１５とガイド軸４２ａ，４２ｂの端部４２ｃとの間に圧縮された状態で配置されている。また、サブシャーシ１５との間で軸受部４６を挟み込む支持板２４には、調整ネジ５０を螺合するためのネジ孔５１が保持孔４９に臨んで形成されている。調整ネジ５０は、捻じ込み量が分かるように頭部に一字孔が形成されており、ネジ孔５１に螺合された状態で、先端部がガイド軸４２ａ，４２ｂに当接するようになされている。
【００５１】
したがって、このスキュー調整機構４５では、調整ネジ５０の捻じ込み量を調整することで、保持孔４９内に保持された弦巻バネ４８の圧縮状態を変化させることができる。これより、ガイド軸４２ａ，４２ｂの端部４２ｃをサブシャーシ１５と直交する方向に移動可能に支持し、当該ガイド軸４２ａ，４２ｂの端部４２ｃが支持される位置を調整することが可能となっている。
【００５２】
なお、サブシャーシ１５には、保持孔４９内に接着剤ｓを注入するための注入孔５２が形成されている。したがって、調整後に、この注入孔５２から注入された接着剤ｓによってガイド軸４２ａ，４２ｂの支持位置を固定することが可能である。
【００５３】
変位駆動機構４０は、図５，図６及び図１２に示すように、ピックアップベース４１に取り付けられたラック部材５３と、このラック部材５３と噛合される送りネジ５４と、この送りネジ５４を回転駆動する駆動モータ５５とを有している。
【００５４】
ラック部材５３は、その基端側がピックアップベース４１の一対のガイド片４３の間に位置してネジ止めにより取り付けられ、その先端側に一方のガイド軸４２ａと平行に配置された送りネジ５４と噛合されるラック部５３ａが一体に形成されている。送りネジ５４は、駆動モータ５５の駆動軸と一体に形成されており、その外周面には、上記ラック部材５３のラック部５３ａが噛合される螺旋状のリードスクリュー５４ａが形成されている。駆動モータ５５は、いわゆるステッピングモータであり、駆動パルスに応じて送りネジ５４を回転駆動する。また、これら送りネジ５４及び駆動モータ５５は、サブシャーシ１５の下面にネジ止めによって取り付けられたブラケット５６に支持されている。このブラケット５６は、長尺状の板金の両端部が同一方向に直角に折り曲げられた形状を有しており、その折り曲げられた一端側に送りネジ５４を貫通させた状態で駆動モータ５５が固定される一方、他端に設けられた軸孔に送りネジ５４の先端が軸支されることによって、送りネジ５４を回転可能に支持している。
【００５５】
ピックアップ送り機構２１では、駆動モータ５５が送りネジ５４を回転駆動しながら、リードスクリュー５４ａとラック部５３ａとの噛合によりラック部材５３を送りネジ５４の軸線方向に変位させる。これにより、光学ピックアップ２０がピックアップベース４１と一体に一対のガイド軸４２ａ，４２ｂに沿った方向、すなわち光ディスク２の半径方向に送り動作される。
【００５６】
以上のように構成されるディスクドライブ装置１では、光ディスク２を保持するディスクトレイ４が筐体３に収納された状態で、ディスク回転駆動機構１９が光ディスク２を回転駆動し、ピックアップ送り機構２１が光学ピックアップ２０を光ディスク２の内外周に亘って送り動作しながら、光学ピックアップ２０が光ディスク２に対して信号の書き込み又は読み出し動作を行うことで、光ディスク２の所望の記録トラックに対する情報信号の記録又は再生が行われる。
【００５７】
ところで、上述したディスクドライブ装置１では、サブシャーシ１５に対するターンテーブル２２の高さ方向の位置決めを行うスペーサ部材２８を介して、スピンドルモータ２３を支持する支持板２４がサブシャーシ１５に取り付けられている。
【００５８】
この場合、図９に示すように、スペーサ部材２８のサブシャーシ１５と対向する主面に形成された４つの第１の基準突部２９ａ，２９ｂ，２９ｃ，２９ｄは、このスペーサ部材２８の寸法公差±ｄの影響を受けることがなく、全てサブシャーシ１５と当接される面の高さが同一となる。同様に、スペーサ部材２８の支持板２４と対向する主面に形成された４つの第２の基準突部３０ａ，３０ｂ，３０ｃ，３０ｄは、このスペーサ部材２８の寸法公差±ｄの影響を受けることがなく、全て支持板２４と当接される面の高さが同一となる。
【００５９】
したがって、このディスクドライブ装置１では、スペーサ部材２８の寸法公差ｄによらずに、スピンドルモータ２３をサブシャーシ１５に高精度に取り付けることが可能である。すなわち、このディスクドライブ装置１では、スピンドルモータ２３のサブシャーシ１５に対する取付精度が向上することから、ターンテーブル２２に保持された光ディスク２の信号記録面とサブシャーシ１５の主面との平行度を高レベルで維持することが可能である。これにより、スピンドルモータ２３をサブシャーシ１５に取り付けた際の傾きやガタツキ等の発生を防ぐことが可能であり、光学ピックアップ２０から出射された光ビームをターンテーブル２２に保持された光ディスク２の信号記録面に垂直に照射することが可能である。
【００６０】
さらに、このディスクドライブ装置１では、サブシャーシ１５とターンテーブル２２との平行度を維持するのに、上述した金型作製時におけるスペーサ部材２８の高さ方向の寸法Ｄのみを管理すればよく、また、上述した図１５に示す従来のスピンドルモータ２０６の取付構造に比べて部品点数が少なく、作製も容易なことから、製造コストの上昇を招くことなく、ターンテーブル２２とサブシャーシ１５との平行度を高レベルで維持することが可能である。
【００６１】
すなわち、上述した従来のスピンドルモータ２０６の取付構造では、各位置決め部材２１４ａ，２１４ｂ，２１４ｃを別個に作製することによって、これら各位置決め部材２１４ａ，２１４ｂ，２１４ｃの寸法公差±ｄ’の違いによるターンテーブル２０５のベース２０４に対する傾きやガタツキ等が生じてしまい、サブシャーシ１５とターンテーブル２２との平行度を維持することは困難である。これに対して、本発明を適用したスピンドルモータ２３の取付構造では、各位置決め部材を一体化した構造を有するスペーサ部材２８を用いることで、このスペーサ部材２８の高さ方向の寸法Ｄのみを管理すれば、当該スペーサ部材２８の寸法公差±ｄの影響を受けることがなく、スペーサ部材２８のサブシャーシ１５及び支持板２４と当接される面の高さ方向の寸法を同一とし、サブシャーシ１５とターンテーブル２２との平行度を高精度に維持することが可能である。
【００６２】
また、このディスクドライブ装置１では、上述したスキュー調整機構４５によって各ガイド軸４２ａ，４２ｂの端部４２ｃが支持される位置を調節することによって、一対のガイド軸４２ａ，４２ｂにスライド可能に支持された光学ピックアップ２０とターンテーブル２２に保持された光ディスク２の信号記録面との間の距離、及び、光ディスク２の信号記録面に対する光学ピックアップ２０の傾きを調整することが可能となっている。
【００６３】
したがって、このディスクドライブ装置１では、光学ピックアップ２０から出射された光ビームをターンテーブル２２に保持された光ディスク２の信号記録面に垂直に照射させるのに必要なスキュー調整等を容易且つ高精度に行うことが可能である。
【００６４】
また、このディスクドライブ装置１では、超薄型のディスクドライブユニットとして、上述したノート型パーソナルコンピュータ１００に搭載された場合であっても、ターンテーブル２２とサブシャーシ１５との平行度を高レベルで維持しており、上述したスキュー調整機構４５による調整範囲も少なくて済むことから、光ディスク２の更なる高記録密度化に対応すると共に、装置全体の更なる小型軽量薄型化に対応することが可能となっている。
【００６５】
また、このディスクドライブ装置１では、一対のガイド軸４２ａ，４２ｂの内周側の端部を支持する軸受部材４６がスペーサ部材２８と一体に形成されている、すなわちスペーサ部材２８に一対のガイド軸４２ａ，４２ｂの内側の端部を支持する一対の軸受部４６が設けられていることから、従来よりも部品点数を削減し、組立を容易とすることで、更なる低コスト化が可能である。
【００６６】
なお、このディスクドライブ装置１では、上述したスピンドルモータ２３を支持する支持板２４がスペーサ部材２８を介してサブシャーシ１５の下面に固定される箇所が４箇所設けられているが、このような固定箇所を少なくとも３箇所設けることで、スピンドルモータ２３をサブシャーシ１５に適切に取り付けることが可能である。また、このような固定箇所を増やしたとしても、上述したスペーサ部材２８の厚み方向の寸法公差ｄの影響を受けることがないので、スピンドルモータ２３をサブシャーシ１５に取り付けた際の傾きやガタツキ等の発生を防ぐことが可能である。また、固定箇所の配置についても任意である。
【００６７】
また、このディスクドライブ装置１では、上述した固定箇所において、サブシャーシ１５側にネジ孔３４が形成され、支持板２４側に孔部３６が形成された構成となっているが、それとは逆、すなわちサブシャーシ１５側に孔部３６が形成され、支持板２４側にネジ孔３４が形成され、サブシャーシ１５側から固定ネジ３８を螺合する構成とすることも可能である。
【００６８】
なお、本発明は、上述した光ディスク２に対して情報信号の記録又は再生を行うディスクドライブ装置１に限定されるものではなく、光ディスク以外にも光磁気ディスク等の光学ディスク、或いはこれら光学ディスクがディスクカートリッジに収納されたものに対して、情報信号の記録及び／又は再生を行うディスクドライブ装置に広く適用可能である。
【図面の簡単な説明】
【００６９】
【図１】本発明を適用したディスクドライブ装置が搭載されたノート型パーソナルコンピュータを示す斜視図である。
【図２】上記ディスクドライブ装置のディスクトレイが収納された状態を示す斜視図である。
【図３】上記ディスクドライブ装置のディスクトレイが引き出された状態を示す斜視図である。
【図４】上記ディスクドライブ装置の構成を示す分解斜視図である。
【図５】ベースユニットを上面側から見た斜視図である。
【図６】ベースユニットを下面側から見た斜視図である。
【図７】ベースユニットを下面側から見た分解斜視図である。
【図８】スペーサ部材の構成を示す斜視図である。
【図９】スペーサ部材の構成を示す側面図である。
【図１０】支持板、スペーサ部材及びサブシャーシの取付構造を示す要部断面図である。
【図１１】スキュー調整機構の構成を示す断面図である。
【図１２】ピックアップ送り機構の構成を示す平面図である。
【図１３】従来のディスクドライブ装置の構成を示す斜視図である。
【図１４】上記従来のディスクドライブ装置の構成を示す分解斜視図である。
【図１５】従来のスピンドルモータの取付構造を説明するための側面図である。
【符号の説明】
【００７０】
１  ディスクドライブ装置、２  光ディスク、３  筐体、４  ディスクトレイ、５  ベースユニット、１５  サブシャーシ（ベース）、１９  ディスク回転駆動機構、２０  光学ピックアップ、２１  ピックアップ送り機構、２２  ターンテーブル、２３  スピンドルモータ、２４  支持板、２８  スペーサ部材、２９  第１の基準突部、３０  第２の基準突部、３１  貫通孔、３２  段差部、３３  ボス、３４  ネジ孔、３５  筒状部、３６  孔部、３７  ボス孔、３８  固定ネジ、３９  ガイド機構、４０  変位駆動機構、４１  ピックアップベース、４２ａ，４２ｂ  一対のガイド軸、４５  スキュー調整機構、４６  軸受部、４８  弦巻バネ、５０  調整ネジ、５３  ラック部材、５４  送りネジ、５５  送りモータ、１００  ノート型パーソナルコンピュータ
【図１】
2005050485.tif 000003
【図２】
2005050485.tif 000004
【図３】
2005050485.tif 000005
【図４】
2005050485.tif 000006
【図５】
2005050485.tif 000007
【図６】
2005050485.tif 000008
【図７】
2005050485.tif 000009
【図８】
2005050485.tif 000010
【図９】
2005050485.tif 000011
【図１０】
2005050485.tif 000012
【図１１】
2005050485.tif 000013
【図１２】
2005050485.tif 000014
【図１３】
2005050485.tif 000015
【図１４】
2005050485.tif 000016
【図１５】
2005050485.tif 000017